【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】
端末からサーバに与えられる要求に応じて、前記サーバが前記端末に地図情報を送信し、前記端末上に地図を表示する地図表示システムにおいて、
前記地図上の表示対象物を特定するための識別情報と前記表示対象物の住所情報とを対応付けて保持する第１のデータベースと、
前記表示対象物の住所情報と地図情報とを対応付けて保持する第２のデータベースと、
前記識別情報を伴う検索要求に応じて前記第１のデータベースを検索し、前記識別情報に対応する住所情報を求めて外部に出力する第１のサーバと、
外部の前記第１のサーバから供給された前記住所情報に応じて前記第２のデータベースを検索し、前記住所情報に対応する地図情報を求めて前記第１のサーバに出力する第２のサーバとを備え、
前記第１のサーバは、前記第２のサーバから取得した地図情報を要求元の端末に出力することを特徴とする地図表示システム。
【請求項２】
前記表示対象物を特定するための識別情報は、建物設備の保全あるいは監視サービスの管理用等として建物毎に割り当てられる数字であることを特徴とする請求項１に記載の地図表示システム。
【請求項３】
前記第１のサーバは、前記住所情報の検索回数を管理する管理手段と、
前記第２のサーバに対して前記検索回数に応じた料金を請求する請求手段とを備えることを特徴とする請求項１または２に記載の地図表示システム。
【請求項４】
前記第１のデータベースは、前記表示対象物の住所情報に加え、ホームページアドレスおよび最寄駅情報をも前記識別情報と対応付けて保持し、
前記第１のサーバは、前記識別情報を伴う検索要求に応じて前記第１のデータベースを検索し、前記識別情報に対応する住所情報を求めて第２のサーバに出力するとともに、前記第２のサーバから取得した地図情報とホームページアドレスおよび最寄駅情報とを要求元の端末に出力することを特徴とする請求項１〜３の何れか１項に記載の地図表示システム。
【請求項５】
端末からサーバに与えられる要求に応じて、前記サーバが前記端末に地図情報を送信し、前記端末上に地図を表示する地図表示システムに用いるサーバ装置であって、
前記地図上の表示対象物を特定するための識別情報と前記表示対象物の住所情報とを対応付けて記憶する記憶手段と、
前記端末から前記識別情報を伴い与えられる検索要求に応じて前記記憶手段を検索し、前記識別情報に対応する住所情報を求めて外部のサーバに出力する検索手段とを備え、
前記外部のサーバから取得した地図情報を要求元の前記端末に出力することを特徴とするサーバ装置。
【請求項６】
前記住所情報の検索回数を管理する管理手段と、
前記検索回数に応じた料金を別のサーバに対して請求する処理を行う請求手段とを備えることを特徴とする請求項５に記載のサーバ装置。
【請求項７】
前記記憶手段は、前記表示対象物の住所情報に加え、ホームページアドレスおよび最寄駅情報をも前記識別情報と対応付けて記憶し、
前記検索手段は、前記識別情報を伴う検索要求に応じて前記記憶手段を検索し、前記識別情報に対応する住所情報を求めて外部のサーバに出力し、
前記外部のサーバから取得した地図情報とホームページアドレスおよび最寄駅情報とを要求元の端末に出力することを特徴とする請求項５または６に記載のサーバ装置。
【請求項８】
端末からサーバに与えられる要求に応じて、前記サーバが前記端末に地図情報を送信し、前記端末上に地図を表示する地図表示システムに用いるサーバ装置であって、
前記地図上の表示対象物の住所情報と地図情報とを対応付けて記憶する記憶手段と、
前記表示対象物を特定するための識別情報を伴い与えられる地図表示要求に応じて、前記識別情報に対応する住所情報の検索を外部のサーバに要求する検索要求手段と、
前記検索要求手段による検索要求に対する応答として前記外部のサーバから与えられる前記住所情報をもとに前記記憶手段を検索し、前記住所情報に対応する地図情報を求めて要求元の端末に出力する検索手段とを備えたことを特徴とするサーバ装置。
【請求項９】
前記表示対象物を特定するための識別情報は、建物設備の保全あるいは監視サービスの管理用等として建物毎に割り当てられる数字であることを特徴とする請求項５〜８の何れか１項に記載のサーバ装置。
【請求項１０】
地図表示要求元の端末から第１のサーバに対し、所望の表示対象物を特定する識別情報を供給して地図表示要求を行う第１のステップと、
前記第１のサーバが、前記端末から供給された前記識別情報をもとに、前記識別情報と前記表示対象物の住所情報とを対応付けて保持した第１のデータベースを検索して前記識別情報に対応する住所情報を求め、求めた住所情報を外部の第２のサーバに供給する第２のステップと、
前記第２のサーバが、外部の前記第１のサーバから供給された前記住所情報をもとに、前記表示対象物の住所情報と地図情報とを対応付けて保持した第２のデータベースを検索して前記住所情報に対応する地図情報を求め、求めた地図情報を前記第１のサーバに出力する第３のステップと、
前記第１のサーバが、前記第２のサーバから供給された前記地図情報を前記地図表示要求元の端末に供給する第４のステップとを有することを特徴とする地図表示方法。
【請求項１１】
地図表示要求元の端末から第２のサーバに対し、所望の表示対象物を特定する識別情報を供給して地図表示要求を行う第１のステップと、
前記第２のサーバが、前記端末から供給された前記識別情報を外部の第１のサーバに供給して検索要求を行う第２のステップと、
前記第１のサーバが、外部の前記第２のサーバから供給された前記検索要求をもとに、前記識別情報と前記表示対象物の住所情報とを対応付けて保持した第１のデータベースを検索して前記識別情報に対応する住所情報を求め、求めた住所情報を前記第２のサーバに供給する第３のステップと、
前記第２のサーバが、前記第１のサーバから供給された前記住所情報をもとに、前記表示対象物の住所情報と地図情報とを対応付けて保持した第２のデータベースを検索して前記住所情報に対応する地図情報を求め、求めた地図情報を前記地図表示要求元の端末に供給する第４のステップとを有することを特徴とする地図表示方法。
【請求項１２】
前記第１のサーバが、前記第２のサーバからの要求に応じて行った前記住所情報の検索回数を管理し、前記第２のサーバに対して前記検索回数に応じた利用料金を請求するステップを有することを特徴とする請求項１１に記載の地図検索方法。
【請求項１３】
請求項５〜８の何れか１項に記載の各手段としてコンピュータを機能させるための地図表示プログラム。
【請求項１４】
請求項５〜８の何れか１項に記載の各手段としてコンピュータを機能させるためのプログラムを記録したことを特徴とするコンピュータ読み取り可能な記録媒体。
【手続補正２】
【補正対象書類名】明細書
【補正対象項目名】００１４
【補正方法】変更
【補正の内容】
【００１４】
【課題を解決するための手段】
この発明に係る地図表示システムは、端末からサーバに与えられる要求に応じて、前記サーバが前記端末に地図情報を送信し、前記端末上に地図を表示する地図表示システムにおいて、前記地図上の表示対象物を特定するための識別情報と前記表示対象物の住所情報とを対応付けて保持する第１のデータベースと、前記表示対象物の住所情報と地図情報とを対応付けて保持する第２のデータベースと、前記識別情報を伴う検索要求に応じて前記第１のデータベースを検索し、前記識別情報に対応する住所情報を求めて外部に出力する第１のサーバと、外部の前記第１のサーバから供給された前記住所情報に応じて前記第２のデータベースを検索し、前記住所情報に対応する地図情報を求めて前記第１のサーバに出力する第２のサーバとを備え、前記第１のサーバが、前記第２のサーバから取得した地図情報を要求元の端末に出力するものである。
【手続補正３】
【補正対象書類名】明細書
【補正対象項目名】００１７
【補正方法】変更
【補正の内容】
【００１７】
この発明のその他の態様は、前記第１のデータベースが、前記表示対象物の住所情報に加え、ホームページアドレスおよび最寄駅情報をも前記識別情報と対応付けて保持し、前記第１のサーバが、前記識別情報を伴う検索要求に応じて前記第１のデータベースを検索し、前記識別情報に対応する住所情報を求めて第２のサーバに出力するとともに、前記第２のサーバから取得した地図情報とホームページアドレスおよび最寄駅情報とを要求元の端末に出力するものである。
【手続補正４】
【補正対象書類名】明細書
【補正対象項目名】００１８
【補正方法】変更
【補正の内容】
【００１８】
また、この発明に係るサーバ装置は、端末からサーバに与えられる要求に応じて、前記サーバが前記端末に地図情報を送信し、前記端末上に地図を表示する地図表示システムに用いるサーバ装置であって、前記地図上の表示対象物を特定するための識別情報と前記表示対象物の住所情報とを対応付けて記憶する記憶手段と、前記端末から前記識別情報を伴い与えられる検索要求に応じて前記記憶手段を検索し、前記識別情報に対応する住所情報を求めて外部のサーバに出力する検索手段とを備え、前記外部のサーバから取得した地図情報を要求元の前記端末に出力するものである。
【手続補正５】
【補正対象書類名】明細書
【補正対象項目名】００１９
【補正方法】変更
【補正の内容】
【００１９】
この発明の他の態様では、端末からサーバに与えられる要求に応じて、前記サーバが前記端末に地図情報を送信し、前記端末上に地図を表示する地図表示システムに用いるサーバ装置であって、前記地図上の表示対象物の住所情報と地図情報とを対応付けて記憶する記憶手段と、前記表示対象物を特定するための識別情報を伴い与えられる地図表示要求に応じて、前記識別情報に対応する住所情報の検索を外部のサーバに要求する検索要求手段と、前記検索要求手段による検索要求に対する応答として前記外部のサーバから与えられる前記住所情報をもとに前記記憶手段を検索し、前記住所情報に対応する地図情報を求めて要求元の端末に出力する検索手段とを備えたものである。
【手続補正６】
【補正対象書類名】明細書
【補正対象項目名】００２０
【補正方法】変更
【補正の内容】
【００２０】
また、この発明に係る地図表示方法は、地図表示要求元の端末から第１のサーバに対し、所望の表示対象物を特定する識別情報を供給して地図表示要求を行う第１のステップと、前記第１のサーバが、前記端末から供給された前記識別情報をもとに、前記識別情報と前記表示対象物の住所情報とを対応付けて保持した第１のデータベースを検索して前記識別情報に対応する住所情報を求め、求めた住所情報を外部の第２のサーバに供給する第２のステップと、前記第２のサーバが、外部の前記第１のサーバから供給された前記住所情報をもとに、前記表示対象物の住所情報と地図情報とを対応付けて保持した第２のデータベースを検索して前記住所情報に対応する地図情報を求め、求めた地図情報を前記第１のサーバに出力する第３のステップと、前記第１のサーバが、前記第２のサーバから供給された前記地図情報を前記地図表示要求元の端末に供給する第４のステップとを有するものである。
【手続補正７】
【補正対象書類名】明細書
【補正対象項目名】００２１
【補正方法】変更
【補正の内容】
【００２１】
この発明の他の態様は、地図表示要求元の端末から第２のサーバに対し、所望の表示対象物を特定する識別情報を供給して地図表示要求を行う第１のステップと、前記第２のサーバが、前記端末から供給された前記識別情報を外部の第１のサーバに供給して検索要求を行う第２のステップと、前記第１のサーバが、外部の前記第２のサーバから供給された前記検索要求をもとに、前記識別情報と前記表示対象物の住所情報とを対応付けて保持した第１のデータベースを検索して前記識別情報に対応する住所情報を求め、求めた住所情報を前記第２のサーバに供給する第３のステップと、前記第２のサーバが、前記第１のサーバから供給された前記住所情報をもとに、前記表示対象物の住所情報と地図情報とを対応付けて保持した第２のデータベースを検索して前記住所情報に対応する地図情報を求め、求めた地図情報を前記地図表示要求元の端末に供給する第４のステップとを有するものである。
【手続補正８】
【補正対象書類名】明細書
【補正対象項目名】００２２
【補正方法】変更
【補正の内容】
【００２２】
また、この発明に係る地図表示プログラムは、請求項５〜８の何れか１項に記載の各手段としてコンピュータを機能させるためのものである。
【手続補正９】
【補正対象書類名】明細書
【補正対象項目名】００２３
【補正方法】変更
【補正の内容】
【００２３】
また、この発明に係るコンピュータ読み取り可能な記録媒体は、請求項５〜８の何れか１項に記載の各手段としてコンピュータを機能させるためのプログラムを記録したものである。